(57)【要約】      （修正有）【課題】サイズ調整可能な組立式パレットを提供する。【解決手段】中央基台本体と複数の位置決め溝１１とを含み、複数の位置決め溝が中央基台本体に位置すると共に共同で交差点を横断して交差配列する中央基台１０と、各基台が基台本体と複数の固定用溝２１とを含み、複数の固定用溝が基台本体２３の上に位置する複数の基台と、各連接棒３０Ａが主柱部と複数の曲り管差込部とを含み、複数の曲り管差込部が主柱部３１Ａの両端から同じ方向に湾曲して延伸し、２個の基台の複数の固定用溝内又は基台の固定用溝と中央基台の位置決め溝内に位置決めすることで、中央基台と複数の基台を固定させる複数の連接棒と、複数の基台又は複数の連接棒に固定される複数の平板と、を包括するサイズ調整可能な組立式パレット。【選択図】図２
2016098044.tif 000002
【特許請求の範囲】
【請求項１】
中央基台本体と複数の位置決め溝とを含み、前記位置決め溝が前記中央基台本体に位置すると共に共同で交差点を横断して交差配列する中央基台と、
各前記基台が基台本体と複数の固定用溝とを含み、前記固定用溝が前記基台本体の上に位置する複数の基台と、
各前記連接棒が主柱部と複数の曲り管差込部とを含み、前記曲り管差込部が主柱部の両端から同じ方向に湾曲して延伸し、２個の前記基台の前記固定用溝内又は１個の前記基台の前記固定用溝と前記中央基台の前記位置決め溝内に位置決めすることで、前記中央基台と前記基台を固定させる複数の連接棒と、
前記基台に固定される複数の平板と、を包括することを特徴とする、
サイズ調整可能な組立式パレット。
【請求項２】
中央基台本体と複数の位置決め溝とを含み、前記位置決め溝が前記中央基台本体に位置すると共に共同で交差点を横断して交差配列する中央基台と、
各前記基台が基台本体と複数の固定用溝とを含み、前記固定用溝が前記基台本体の上に位置する複数の基台と、
各前記連接棒が主柱部と複数の曲り管差込部とを含み、前記曲り管差込部が主柱部の両端から同じ方向に湾曲して延伸し、２個の前記基台の前記固定用溝内又は１個の前記基台の前記固定用溝と前記中央基台の前記位置決め溝内に挿設する複数の連接棒と、
前記連接棒に固定される複数の平板と、を包括することを特徴とする、
サイズ調整可能な組立式パレット。
【請求項３】
各前記平板は、接着接合、ヒートシール又は締結方法で前記基台上に固定されることを特徴とする請求項１に記載のサイズ調整可能な組立式パレット。
【請求項４】
各前記基台本体は、位置決め部を更に含み、各前記平板が結合部を含み、前記結合部が前記位置決め部に嵌合されることで前記平板を前記基台本体上に固定することを特徴とする請求項１に記載のサイズ調整可能な組立式パレット。
【請求項５】
各前記基台本体は、対向する第１面と第２面を更に含み、前記固定用溝が第１面上に位置することを特徴とする請求項３又は４に記載のサイズ調整可能な組立式パレット。
【請求項６】
前記位置決め部は、前記第１面或いは前記第２面に位置することを特徴とする請求項５に記載のサイズ調整可能な組立式パレット。
【請求項７】
各前記平板は、前記主柱部上に嵌合される嵌合溝を含むことを特徴とする請求項２に記載のサイズ調整可能な組立式パレット。
【請求項８】
少なくとも１枚の前記平板と１本の前記連接棒は、一体成形とすることを特徴とする請求項２に記載のサイズ調整可能な組立式パレット。
【請求項９】
前記中央基台は、前記位置決め溝に位置する複数の位置決め用差込穴を更に含み、前記位置決め用差込穴の深さが前記位置決め溝の深さより深く、各前記基台が前記固定用溝内に位置する複数の固定用差込穴を更に含み、前記固定用差込穴の深さが前記固定用溝の深さより深く、前記曲り管差込部は２個の前記基台の前記固定用差込穴内或いは１個の前記基台の前記固定用差込穴と前記中央基台の前記位置決め用差込穴内に挿設され、前記主柱部の少なくとも一部が前記固定用溝内又は前記位置決め溝内に嵌設することで前記中央基台と前記基台を固定させることを特徴とする請求項１或いは２に記載のサイズ調整可能な組立式パレット。
【請求項１０】
各前記固定用差込穴は、固定用係止部を備え、各前記位置決め用差込穴が位置決め用係止部を備え、各前記連接棒が前記曲り管差込部上に位置する位置決め部を更に含み、前記曲り管差込部が前記固定用差込穴内に挿設された時、前記位置決め部を前記固定用係止部に結合して前記曲り管差込部を前記基台上に固定し、前記曲り管差込部を前記位置決め用差込穴内に挿設された時、前記位置決め部を前記位置決め用係止部に結合して前記曲り管差込部を前記中央基台上に固定することを特徴とする請求項９に記載のサイズ調整可能な組立式パレット。
【請求項１１】
前記主柱部は、曲がり部を含み、２本の前記連接棒が重ね合わせた時、いずれかの前記連接棒の曲がり部を他の前記連接棒の前記主柱部上に重ね合わせることを特徴とする請求項１或いは２に記載のサイズ調整可能な組立式パレット。
【請求項１２】
前記基台本体は、複数の梁柱状構造を含むことを特徴とする請求項１或いは２に記載のサイズ調整可能な組立式パレット。
【発明の詳細な説明】
【技術分野】
【０００１】
本発明は、パレット構造に関し、特に、サイズ調整可能な組立式パレットに関する。
【背景技術】
【０００２】
一般的に知られているプラスチック製パレットの大半は、一体成形であるため、サイズが異なるプラスチック製パレットを使用しようとする場合、相応しい金型で製造する必要があった。ただし、金型費用が非常に高く、且つパレットが衝突により破損した場合、小さい破損であったとしてもパレット全体を廃棄しなければならなくなる。低コストと高利用率のパレットをどのように製造するかが、以前から当業者が解決しようとする課題となっていた。
【発明の概要】
【発明が解決しようとする課題】
【０００３】
本発明は、上記の従来技術の問題を解決するため、横方向、縦方向におけるサイズを調整できるサイズ調整可能な組立式パレットを提供することを目的とする。
【課題を解決するための手段】
【０００４】
本発明は、中央基台本体と複数の位置決め溝とを含み、複数の位置決め溝が中央基台本体に位置すると共に共同で交差点を横断して交差配列する中央基台と、各基台が基台本体と複数の固定用溝とを含み、複数の固定用溝が基台本体の上に位置する複数の基台と、各連接棒が主柱部と複数の曲り管差込部とを含み、複数の曲り管差込部が主柱部の両端から同じ方向に湾曲して延伸し、２個の基台の複数の固定用溝内又は基台の固定用溝と中央基台の位置決め溝内に位置決めすることで、中央基台と複数の基台を固定させる複数の連接棒と、複数の基台に固定される複数の平板と、を包括するサイズ調整可能な組立式パレットを提供する。
【０００５】
本発明は、中央基台本体と複数の位置決め溝とを含み、複数の位置決め溝が中央基台本体に位置すると共に共同で交差点を横断して交差配列する中央基台と、各基台が基台本体と複数の固定用溝とを含み、複数の固定用溝が基台本体の上に位置する複数の基台と、各連接棒が主柱部と複数の曲り管差込部とを含み、複数の曲り管差込部が主柱部の両端から同じ方向に湾曲して延伸し、２個の基台の複数の固定用溝内又は基台の固定用溝と中央基台の位置決め溝内に位置決めすることで、中央基台と複数の基台を固定させる複数の連接棒と、複数の連接棒に固定される複数の平板と、を包括するサイズ調整可能な組立式パレットを提供する。
【発明の効果】
【０００６】
本発明のサイズ調整可能な組立式パレットは、以下の利点を有する。
連接棒の曲り管差込部を基台上の異なる差込穴に挿入することで、両基台の間隔を調整でき、組立式パレットの横方向と縦方向における寸法を調整させることができることで、実際の必要性に応じて自由に組立と調整でき、非常に柔軟性や利便性を持っている。
衝突により基台の破損が起きた時、新しい基台に取り替えることができ、パレットが２回或いは複数回の利用率にアップするため大幅にコストを削減する。
また、基台の内部が梁柱状構造で、例えばＨ形、Ｉ形又はＸ形とすることで、基台の重量を減らしながら支持の強度を大幅に高めることができる。
このほかに、連接済みの基台と連接棒は、平坦な枠組を形成でき、該枠組の構造も丈夫で安定し、各部の間で移動或いは変位が生じず、重量物を運搬と載置した時にも非常に安全である。
【０００７】
以下、実施形態において本発明の詳細な特徴及び利点を詳述する。その内容は当業者に本発明の技術内容について十分理解してもらうと共にこれをもって実施できる。また本明細書で開示される内容、特許請求の範囲及び図面に基づけば、当業者は簡単に本発明に係る目的及び利点を理解できる。
【図面の簡単な説明】
【０００８】
【図１】本発明の外観を示す模式図である。
【図２】本発明の上面図である。
【図３】本発明の中央基台の拡大図である。
【図４】本発明の基台の外観を示す模式図である。
【図５】本発明の基台と連接棒を結合した外観を示す模式図である。
【図６】本発明の基台又は中央基台と連接棒の分解図である。
【図７】本発明の複数の連接棒の外観を示す模式図である。
【図８】本発明の基台とパネルの分解図である。
【図９Ａ】本発明の基台と連接棒の上面図（一）である。
【図９Ｂ】本発明の基台と連接棒の上面図（二）である。
【図９Ｃ】本発明の基台と連接棒の上面図（三）である。
【図１０】本発明に係る基台とパネルを結合した別の態様外観を示す模式図である。
【図１１】本発明の実施例１に係る枠組の上面図である。
【図１２】本発明の実施例２の外観を示す模式図である。
【図１３】本発明のパネルと連接棒を結合した別の態様外観を示す模式図である。
【図１４Ａ】本発明の実施例３に係る複数のパネルの上面図（一）である。
【図１４Ｂ】本発明の実施例３に係る複数のパネルの底面図である。
【図１５】本発明の実施例３に係る複数のパネルの上面図（二）である。
【図１６】本発明の実施例３に係る複数のパネルの上面図（三）である。
【発明を実施するための形態】
【０００９】
以下、図面を参照しながら本発明のサイズ調整可能な組立式パレットについて詳細に説明する。
【実施例１】
【００１０】
図１、図２、図３及び図４は、本発明のサイズ調整可能な組立式パレット１の実施例１である。図１は外観を示す模式図、図２は上面図、図３は中央基台拡大図、図４は基台の外観を示す模式図である。
本発明のサイズ調整可能な組立式パレット１は、中央基台１０と複数の基台２０と複数の連接棒３０Ａと複数のパネル５０Ａ（図８）とを含む。
【００１１】
中央基台１０は、プラスチック押出成形で、中央基台本体１３と複数の位置決め溝１１とを備え、複数の位置決め溝１１が中央基台本体１３に位置すると共に共同で交差点１０Ａを横断して交差配列する。
本実施例において、中央基台本体１３は、円盤状（図１及び図３）とし、中央基台本体１３は正方体（図２）とすることもできる。複数の位置決め溝１１は、中央基台本体１３上の一面に位置し、且つ位置決め溝１１と隣り合う位置決め溝１１間が４５度の角度で間隔し、全体的に見ると、複数の位置決め溝１１が略米字形を呈して配列し、つまり十字形の複数の位置決め溝１１上に斜め方向複数の位置決め溝１１を追加配列する。
【００１２】
本実施例の別の態樣において、中央基台１０は、複数の位置決め溝１１内に位置する複数の位置決め用差込穴１２を更に含み、複数の位置決め用差込穴１２の深さが複数の位置決め溝１１の深さより深い。このほかに、交差点１０Ａに位置決め用差込穴１２を設けることができる。
【００１３】
基台２０は、中央基台１０の周縁に設けられて複数の位置決め溝１１に対応する。本実施例において基台２０の数量は好ましくは８個で、設ける位置が米字形複数の位置決め溝１１に各々対応し、全体的に見ると中央基台１０と複数の基台２０は３×３マトリクス状に配列され、中央基台１０が中央部に位置する。
【００１４】
基台２０は、プラスチック押出成形で、基台本体２３と複数の固定用溝２１と複数の固定用差込穴２２とを含む。複数の固定用溝２１が基台本体２３に位置し、固定用溝２１が水平、垂直（図９Ａ及び図９Ｂ）或いは斜め方向（図９Ｃ）に設けられる。複数の固定用差込穴２２は、複数の固定用溝２１内の内側面上に位置し、且つ複数の固定用差込穴２２の深さが複数の固定用溝２１の深さより深く、図４と図８に示されるように、固定用溝２１の交差箇所又は所定箇所に複数の固定用差込穴２２を設ける。
【００１５】
このほかに、基台２０は正方体（図９Ａ乃至図９Ｃ）、長方体或いは円柱体等の様々な形状とすることができるものとするが、本発明はこれに限るものではない。
図９Ａ乃至び図９Ｃに示すように、完全に複数の正方体の基台本体２３をパレット構造として組み立てることができ、各正方体の基台本体２３にある複数の固定用溝２１が複数の略十字形を呈して配列する。又は完全に複数の円柱体の基台本体２３をパレット構造として組み立てることができ、各正方体（円柱体）の基台本体２３にある複数の固定用溝２１が略米字形（図９Ｃ）を呈して配列する。この場合、十字形の固定用溝２１上に斜め方向固定用溝２１を追加し、且つ各固定用溝２１内の内側面にも各方向の必要な複数の固定用差込穴２２も設けており、円柱体の基台本体２３がフォークリフト（或いは「パレット運搬車」という）に衝突する時、円弧面、円滑な非直角に衝突する作用をさせる。このほかに、正方体の基台本体２３と円柱体の基台本体２３は、任意に組み合わせて使用でき、中央基台１０が複数の正方体の基台本体２３の中央に設けられ、つまり図２の中央の正方体の中央基台１０を図１の円柱体の中央基台１０に交換できる。
【００１６】
中央基台本体１３と基台本体２３は、中空体とすることができ、軽量化の目的を効果的に達成できる。
【００１７】
本実施例において基台２０の基台本体２３の内部は、中空の梁柱状構造２３１を呈し、例えばＨ形、Ｉ形又はＸ形等の様々な形状で、基台の重量を減らしながらその支持強度を大幅に高めることができる。次に、基台本体２３は、対向する第１面２３Ａと第２面２３Ｂを有し、複数の固定用溝２１と複数固定用差込穴２２が第１面２３Ａ上に設けられる。
【００１８】
図４に示すように、基台本体２３の第２面２３Ｂに複数の位置決め部２５を設け、そこで、位置決め部２５が凸起構造とすることができる。ただし先に述べた位置決め部２５の構造と位置の説明は例として挙げただけであって、本発明はこれに限るものではなく、複数の位置決め部２５は第１面２３Ａに設けることもできる、或いは凹み状の構造とすることができる。
【００１９】
連接棒３０Ａは、隣り合う２個の基台２０への連接、位置決めと固定或いは中央基台１０に対向する両側の基台２０への連接、位置決めと固定に用いられる。そこで連接棒３０Ａは主に主柱部３１Ａと主柱部３１Ａの両端に位置する曲り管差込部３２Ａとからなることができ、全体的に見ると、略逆凹字形を呈し、且つ、主柱部３１Ａの直径が中央基台１０の位置決め溝１１の深さ又は基台２０の固定用溝２１の深さを下回る。
【００２０】
連接棒３０Ａを隣り合う２個の基台２０に連接して、位置決め・固定している時、主柱部３１Ａが基台２０の固定用溝２１内に収容され且つ位置決めすることで、固定用溝２１の表面から突出しない。主柱部３１Ａを固定用溝２１内にリミットして固定させることもでき、２つの曲り管差込部３２Ａは、各々２個の基台２０の固定用差込穴２２内に挿入される。図６及び図７に示すように固定用差込穴２２内に例えば係止部２２１のようなロック装置を設けると、曲り管差込部３２Ａが固定用差込穴２２に挿入された後、自動的に係止部２２１と係合し、連接棒の曲り管差込部３２Ａが固定用差込穴２２内から緩み抜けることがないことで、更に基台２０の位置決め作用を発揮でき、また主柱部３１Ａが固定用溝２１内から滑り出ることを防止できる。
基台２０は塑性材料で、弾性を持つため、曲り管差込部３２Ａが少しの力だけで固定用差込穴２２を拡開して挿入され、自動的に係止部２２１と係合でき、連接棒の曲り管差込部３２Ａが固定用差込穴２２内から緩み抜けることがない。若しくは曲り管差込部３２Ａを先に固定用差込穴２２に挿入し、また曲り管差込部３２Ａを一方向に回して曲り管差込部３２Ａが係止部２２１と係合させることで、更に基台２０の位置決め作用を発揮でき、主柱部３１Ａが固定用溝２１内から滑り出ることを防止できる。ただし、本発明はこれに限られるものではない。
また、基台２０上表面の固定用溝２１内に複数の固定用差込穴２２を設けるため、曲り管差込部３２Ａを異なる固定用差込穴２２に挿入することによって両基台２０の間隔を調整でき、組立式パレット１全体の横方向、縦方向における寸法を調整させることができ、異なる実際の需要を満たす。連接棒３０Ａの主柱部３１Ａは、異なる寸法を有することができ、図９Ａのような長い主柱部３１Ａと短い主柱部３１Ａを組み合わせて使用するか、又は図９Ｂのような複数の短い主柱部３１Ａを使用する。また、図９Ａに示すように、短い連接棒３０Ａは、中央部にある基台２０に連接するために用い、長い連接棒３０Ａは外側辺にある各基台２０に連接するために用いることができる。
【００２１】
連接棒３０Ａを中央基台１０に対向する両側の基台２０に連接、位置決めと固定する時、主柱部３１Ａが中央基台１０の位置決め溝１１内に収容され且つ位置決めすることで、位置決め溝１１の表面から突出しない。主柱部３１Ａを位置決め溝１１内にリミットして固定させることもでき、その連接方式、構造（例えば係止構造）は前述の説明と同じであるため、ここではその説明を省略する。このほかに、連接棒３０Ａも中央基台と基台２０への連接、定位と固定が可能で、その連接方式、構造（例えば係止構造）は前述の説明と同じであるため、ここではその説明を省略する。
【００２２】
複数の連接棒３０Ａと基台２０を組み立てた後で安定した枠組を形成し、主柱部３１Ａが基台２０の固定用溝２１内に収容され且つ位置決められるため、枠組の上表面が平坦で、上表面が前記パネル５０Ａ（図５及び図８）を取り付けるために用いられ、該枠組がパネル５０Ａ上に固定された後、パネル５０Ａに凸起が生じないため実用性が高まる。
【００２３】
本発明において、図９Ａに示すように、基台２０上に複数の固定用差込穴２２を設けるため、基台２０を位置決めるために用いられる複数の連接棒３０Ａは互いに平行、或いは一直線上に配列でき、若しくは互いに垂直で且つ交わらない。また、図７に示すように連接棒３０Ａを交差状を呈して設けることもでき、この時交差箇所にある主柱部３１Ａを押圧して平らにし、これにより連接棒３０Ａが固定用溝２１内に収容されて、固定用溝２１の上表面から突出しないように確保し、連接後の基台２０の表面も平坦状態に保たせる。
【００２４】
本実施例において、連接棒３０Ａは、主に金属材質で製造された管材で、例えば方形管、円形管、台形管等とすることができるが、本発明はこれに限るものではない。
【００２５】
パネル５０Ａは、プラスチック合板、紙ハニカム板又は複合板とすることができ、また係合、接着部材６を通じて接合（図８）、締結、若しくは同材質のヒートシール方法を通じて基台本体２３上に固定される。パネル５０Ａは第１面２３Ａ或いは第２面２３Ｂ上に固定されて組立式パレット１を構成すると、フォークリフト（パレット運搬車とも呼ばれる）で組立式パレット１に差し込んで、持ち上げて運搬できる。
【００２６】
係合方式で固定する時、基台２０の第２面２３Ｂに複数の位置決め部２５（図１０）を設け、パネル５０Ａ上の位置決め部２５と対応する位置に結合部５１Ａを設け、結合部５１Ａが位置決め部２５に嵌合されることで、基台２０をパネル５０Ａ上に固定する。
本実施例において、位置決め部２５は凸形構造で、結合部５１Ａを凹形構造とすることができる。ただし本発明はこれに限るものではなく、位置決め部２５が凹形構造で、結合部５１Ａを凸形構造とすることができる。このほかに、位置決め部２５は基台２０の第１面２３Ａ上に設けさせることもできる。
【００２７】
本発明の実施例１において、組み立て時基台２０間が連接棒３０Ａを通じて連接と位置決めされ、連接棒３０Ａの曲り管差込部３２Ａが基台２０の固定用差込穴２２内に挿入されることで、連接し且つ固定された基台２０と連接棒３０Ａによって１つの平坦な枠組（図１１）を構成させることができる。この枠組の構造は丈夫で安定し、各部の間で移動或いは変位が生じず、最後にパネル５０Ａを接着接合、係合或いはヒートシール等の異なる固定方法でこの枠組上に固定する。
【００２８】
図９Ａに示すように、基台２０Ｂは基台２０Ａと基台２０Ｃの間に位置し、１本の連接棒３０Ａで基台２０Ａと基台２０Ｃを連接し、連接棒の主柱部３１Ａの一部が基台２０Ｂの固定用溝２１内に収容される。これから分かるように、１本の連接棒３０Ａは２個の基台２０Ａ、２０Ｃを固定と位置決めることができ、同時に３個の基台２０Ａ、２０Ｂ、２０Ｃも固定と位置決めすることもできる。
【実施例２】
【００２９】
図１２は、本発明のサイズ調整可能な組立式パレット１の実施例２の外観を示す模式図である。実施例２において、平板は連接棒３０Ｂ上に固定される。
【００３０】
平板と連接棒３０Ｂは、一体成形とすることができる。連接棒３０Ｂは、シート状連接棒３０Ｂとすることができ、プラスチック押出成形で中間にある平板部３６Ｂと平板部３６Ｂ両端にある主柱部３１Ｂ（主柱部３１Ｂが平板部３６Ｂを貫通する）と２個の曲り管差込部３２Ｂからなり、平板部３６Ｂが中空の梁柱状構造を呈することで、連接棒３０Ｂの強度を増強できる。
【００３１】
シート状連接棒３０Ｂの中間にある平板部３６Ｂは、実施例１内のパネル５０Ａを代替でき、二者の作用が同じで、言い換えると、平板と連接棒３０Ｂを一体成形とする構造である。
図１２に示すように、基台２０上に階段部２８を設け、組み立てる時平板部３６Ｂの端部はちょうと基台２０の階段部２８内に当接して係止し、この場合シート状連接棒３０Ｂの主柱部３１Ｂが基台２０の固定用溝２１内に収容され且つ位置決められ、両曲り管差込部３２Ｂが２個の基台２０の固定用差込穴２２内に各々挿入される。
【００３２】
基台２０はパレット構造の周縁（全ての隅角部）及びパレットの中央エリアに固定され、そこで曲り管差込部３２Ｂが基台２０上の異なる固定用差込穴２２に挿入して両基台２０の間隔（図４のようないずれかの異なる位置の固定用差込穴２２箇所）を調整でき、組立式パレット１の横方向、縦方向における寸法を調整できる目的を達成できる。
【００３３】
図１３は、平板が連接棒上に固定される別の態様である。そこで、パネル５０Ａの裏面に１個又は複数の嵌合溝５７Ａを有し、パネル５０Ａが連接棒３０Ａ上に固定されることができる。
嵌合溝５７Ａは細長い固定用溝で、固定用溝の断面からみると、固定用溝が略Ω形状を呈し、固定用溝の内部幅が開口部の幅より大きく、開口部の幅が連接棒３０Ａの幅より小さい。更に説明すると、固定用溝内側の一面と外側の表面は略垂直を形成し、固定用溝内側の他面と外側の表面が非垂直を形成して他面が傾斜形状を呈させることで、連接棒３０Ａが開口部から簡単に固定用溝内に嵌め込んで固定させることができる。
【実施例３】
【００３４】
図１４Ａ、図１４Ｂ及び図１５は、本発明のサイズ調整可能な組立式パレット１の実施例３である。図１４Ａは複数のパネルの上面図（一）で、図１４Ｂは複数のパネルの底面図で、図１５は複数のパネルの上面図（二）である。実施例３において、複数のパネル５０Ｂ或いは５０Ｃで実施例１内のパネル５０Ａを代替する。
【００３５】
本実施例において、各基台２０間は連接棒３０Ａを通じて連接と位置決められ、連接棒３０Ａの曲り管差込部３２Ｂが基台２０の固定用差込穴２２内に挿入できる。図１１及び図１４Ａに示すように、複数の小型パネル５０Ｂで大型パネル５０Ａを代替できる。パネル５０Ｂは、プラスチック押出成形で例えばＸ、Ｈ、II等の形状のような中空の梁柱状構造を呈することで、パネル５０Ｂの強度を増強する。そこで、パネル５０Ｂの裏面には複数の嵌合溝５７Ｂと嵌合溝５７Ｂ内にある隠し係止材５８Ｂ（図１４Ｂ）を有し、パネル５０Ｂが連接棒３０Ａ上に固定され、且つ複数の小型パネル５０Ｂの間が平行するよう設けられる。嵌合溝５７Ｂの個数は３本で、各々パネル５０Ｂ裏面の上部、中部、下部に位置することが好ましい。
【００３６】
図１５に示すように、パネル５０Ｃでパネル５０Ｂを代替でき、パネル５０Ｃは、プラスチック押出成形で例えばＸ、Ｈ、II等の形状のような中空の梁柱状構造を呈することで、パネル５０Ｃの強度を増強する。パネル５０Ｃの両端に平板頭５１Ｃ及び平板頭５１Ｃ上にある係止材５１１Ｃを設け、係止材５１１Ｃが丸棒とすると共に係止材５１１Ｃを基台２０の固定用差込穴２２内に挿入することで、パネル５０Ｃを基台２０上にロックし、また嵌合溝５７Ｃで複数の連接棒３０Ａの主柱部３１Ａを嵌合し、パネル５０Ｃを連接棒３０Ａ上に固定させる。
【００３７】
また、平板頭５１Ｃ上に複数の凸部５１１Ｄ（図１６）を設けて係止材５１１Ｃを代替でき、凸部５１１Ｄが基台２０の固定用溝２１内に挿入されることで、パネル５０Ｃを基台２０上にロックできる。パネル５０Ｃは、パレット構造の周縁と中央部に設けられ、且つパネル５０Ｂと平行できる。このほかに、パネル５０Ｃの間が互いに平行し又は一直線上にあり、連接棒３０Ａの間が互いに平行し、且つパネル５０Ｂ、５０Ｃと互いに垂直状を呈する。
【００３８】
複数の連接棒３０Ａとパネル５０Ｃは各基台２０と各パネル５０Ｂを一緒に連接、位置決めと固定することで、平坦な組立式パレット１を形成する。パレット構造が丈夫で安定し、各部の間で移動或いは変位が生じることはない。基台２０はパレットの周縁及び中央エリアに分布し、またパレットの隅角部に設けられる。
【００３９】
本発明において、曲り管差込部は基台上の異なる固定用差込穴に挿入されることで両基台の間隔を調整でき、或いは異なる長さの連接棒で各基台を連接し、組立式パレットの横方向、縦方向における寸法を調整させることができる。
【００４０】
本発明について例示的に好ましい実施例を挙げて説明したが、本発明はここに開示された実施態様のみに限定されないと理解されるべきである。反対に、本発明の特許請求の範囲の要旨に含まれるさまざまな変更や類似の配置も本発明に含まれるものとし、本発明の請求範囲は、そのような変更と類似の構造のすべてを網羅するように最も幅広く解釈されるべきである。
【符号の説明】
【００４１】
１  組立式パレット
１０  中央基台
１０Ａ  交差点
１１  位置決め溝
１２  位置決め用差込穴
１３  中央基台本体
２０／２０Ａ／２０Ｂ／２０Ｃ  基台
２１  固定用溝
２２  固定用差込穴
２２１  係止部
２３  基台本体
２３Ａ  第１面
２３Ｂ  第２面
２３１  梁柱状構造
２５  位置決め部
２８  階段部
３０Ａ／３０Ｂ  連接棒
３１Ａ／３１Ｂ  主柱部
３２Ａ／３２Ｂ  曲り管差込部
３６Ｂ  平板部
５０Ａ／５０Ｂ／５０Ｃ  パネル
５１Ａ  結合部
５１Ｃ  平板頭
５１１Ｃ  係止材
５１１Ｄ  凸部
５７Ａ／５７Ｂ／５７Ｃ  嵌合溝
５８Ｂ  隠し係止材
６  接着部材
【図１】
2016098044.tif 000003
【図２】
2016098044.tif 000004
【図３】
2016098044.tif 000005
【図４】
2016098044.tif 000006
【図５】
2016098044.tif 000007
【図６】
2016098044.tif 000008
【図７】
2016098044.tif 000009
【図８】
2016098044.tif 000010
【図９Ａ】
2016098044.tif 000011
【図９Ｂ】
2016098044.tif 000012
【図９Ｃ】
2016098044.tif 000013
【図１０】
2016098044.tif 000014
【図１１】
2016098044.tif 000015
【図１２】
2016098044.tif 000016
【図１３】
2016098044.tif 000017
【図１４Ａ】
2016098044.tif 000018
【図１４Ｂ】
2016098044.tif 000019
【図１５】
2016098044.tif 000020
【図１６】
2016098044.tif 000021